(57)【要約】 【課題】  簡単に且つ精密に組立ができる電磁リレーを提供する。【解決手段】    電磁リレーにベース１０、ベースに挿入されたコイル４３、アマチュア５０、接点配列３０、３１が備えられる。ヨーク４４がコイルを貫通し、接点配列はアマチュアにて動作される。アマチュア５０は、別途に作成された軸支持部６０に一体に形成された軸６２の回りで回動自在に支持され、軸支持部６０はコイル４３を架橋する形で包囲し、ベース１０の側ウェブ６４でベース１０に係合する。組立時は、軸支持部６０とベース１０との間に設けたばね要素６５が軸支持部６０にプリストレスを与えることで、軸６２がアマチュア穴５４内の一点でアマチュアに接触し、これにより、リレーの完成時に、所定の遊びを与える。【選択図】  図４
2004288611.tif 000002
【特許請求の範囲】
【請求項１】
以下の構成を備えた電磁リレー
コイル４３、
上記コイルにて包囲され両端に磁極面を形成したヨーク４４、
アマチュア５０、このアマチュアは中央支持要素６２の周りでピボット可能に装着され、永久磁石の力によってヨークの磁極面に両端が対向する最終位置を取る、
上記アマチュアによって作動される接点配列３０、３１、
上記支持要素６２はヨーク４４に対して、支持要素の軸と交差する方向及び、アマチュアの長さ方向において、ばね要素６５に基づくプリストレスが与えられることで、上記支持要素６２が上記アマチュア５０での規定の点に対して押圧され、上記アマチュア５０がその両面においてヨーク４４の磁極面に向けて押圧されるように上記ばね要素６５が構成された。 
【請求項２】
支持要素はベース１０に設けた軸支持部６０と一体の軸部６２であり、上記ばね要素６５は、リレーの組み立て時において、ベース１０に対する弾性的なプリストレスを軸支持部６０へ与えることを特徴とする請求項１に記載の電磁リレー。 
【請求項３】
上記軸支持部６０がブリッジ形式となってヨーク４４を包囲し、側リブ６４がベース１０の開口に係合し、ばね要素６５が側リブ６４とベース１０との間に位置することを特徴とする請求項２に記載の電磁リレー。 
【請求項４】
上記ばね要素６５がウェブ６４の材料から切り起こされて形成されたことを特徴とする請求項３に記載の電磁リレー。 
【請求項５】
アマチュア５０の永久磁石動作力はばね要素６５の動作力よりも大きいことを特徴とする先行する請求項の何れかに記載の電磁リレー。 
【請求項６】
アマチュア５０が基本的にＨ形であり、２つのアマチュアバー５２及び支持軸の両側に設けた永久磁石５３を備え、各一端において互いに対向する一対の磁極面を形成し、互いに離間したヨーク脚４６両面の磁極面と相互に影響し合うことを特徴とする先行する請求項の何れかに記載の電磁リレー。
【発明の詳細な説明】
【技術分野】
【０００１】
本発明は、電磁リレーに関するものである。
【背景技術】
【０００２】
請求項１の前提部分に記載の特徴を備えた電磁リレーは、欧州特許出願公開第０４８７９４７号公報に開示されている。公知のリレーでは、基本的にＨ形のアマチュアがリレーコイルの上に配置され、中央軸の周りでピボットするように取り付けられていて、接点を動作させている。アマチュアの各一端にそれぞれ形成された２つの磁極面は互いに対向し、コイルを貫通するヨークにおいて互いに離間したヨーク脚に形成されてアマチュアの端部間に突出する２つの磁極面との間で相互に影響し合う。アマチュアには永久磁石が備えられ、直径方向の両端においてヨーク脚に押圧される。
【０００３】
不可避的な軸受けでの遊びに関係なく、アマチュアを所定位置に保持するため、組み立て時に両端部をヨーク脚に対してクランプで固定して、アマチュア支持穴の所定位置に軸部が押し付けられるようにしている。組み立て後は、接着剤を使用して、軸部を支持する機能部品を固定する。このクランプ方式では、これらの部品は接着剤が硬化するまでに所定位置に保持される。
【特許文献１】欧州特許出願公開第０４８７９４７号公報
【発明の開示】
【発明が解決しようとする課題】
【０００４】
上述のようなクランプの装着、取り外しは、余分な組み立て工程を必要とするだけでなく、軸に所定の遊びを与えるために慎重な取り扱いが必要である。
【課題を解決するための手段】
【０００５】
本発明は、従来のリレーにおいて生じる欠点の少なくとも一部を無くすことを目的とするものであり、より精密で且つより構成が簡単に組み立てることができる電磁リレーを提供することである。この目的は請求項１に記載の発明にて達成される。
【０００６】
本発明のリレーでは、アマチュア支持穴における所定位置に支持部が押しつけられるように横方向に沿って、ばね要素をもちいてヨークに対するプリストレスを支持部に与えるものである。ばね要素を用いることでリレー全体では軸受けに所望の遊びを与えることができ、且つ従来のリレーの組み立において必要とされるクランプを不要とすることができる。
【０００７】
請求項２から請求項５での特徴によれば、物理的に簡単な方式によって所望のばね効果が達成できる。
【０００８】
請求項６での改良は、本発明を好適に使用できる電磁リレーに関するものである。
【発明の効果】
【０００９】
全てのリレー部品がベース１０へコイルベースの上からに装着され、組立が完了してから組立体が裏返された時のみに、最終段階として接着剤を使用するものである。冒頭にて引用した先行技術と対照的に、組立体を何度も裏返すことや、組み付けと接着剤の適用とを交互に繰り返す必要が無い。従って本発明のリレーは、比較的短時間で、清潔な状態で精密に組立てることができる。
【発明を実施するための最良の形態】
【００１０】
図１はリレーのベース１０を示し、固定接点３０及び接点ばね３１の結合部位３２、３３を収容する各種の穴１１、１２がベースに形成されている。各接点ばね３１はベース１０上に突出する壁要素１３によって形成されて互いに区画された各室に収めた固定接点３０との間で相互作用を果たす。
【００１１】
図２は固定接点３０及び接点ばね３１を取り付けた状態で約９０°回転させた状態のベース１０を示す。図示されるように、接点配列３０、３１によって占有されるスペースはベース１０上に突出する壁１４によってベース１０の残りの領域から分離されている。この領域はコイル組立体４０及びアマチュア５０を収容するために使用される。
【００１２】
コイル組立体４０は、コイルベース４１、ボビン４２、Ｕ字状のヨーク４４とで構成され、ボビン４２はコイルベースに結合されコイル４３を備える。ヨークの中央部４５はコイルを貫通し、両端の脚４６が図２において上方へ突出する。
【００１３】
アマチュア５０を取り付けるために、全体がブリッジ形状の軸支持部６０が設けられる。軸支持部の中央部６１はベース１０と平行となり上方に突出する軸６２を支持し、側片がそれぞれ３つのウェブ６４へスロット６３によって分割される。ばね要素６５は、図２の正面から見て、軸支持部６０の側片の中央ウェブ６４の材料から切り起こされる。
【００１４】
アマチュア５０は、全体として略Ｈ形であり、２本のアマチュアバー５２を共通の合成樹脂部５１で包囲した構成であり、図２において、アマチュアの端部や合成樹脂部の開口を通して示されている。永久磁石５３は、アマチュアバー５２の間に設けられ、合成樹脂部５１の開口を通してのみ示されている。軸穴５４は、合成樹脂部５１の中央に形成される。
【００１５】
図３で示されるように、コイル組立体４０は図２で示すベース１０の凹所１５に挿入されるものであり、図２と図３でのみ示されるコイル端子４７がベース１０に設けた穴１６を貫通している。
【００１６】
図４の部分断面図に示されるように、軸支持部６０はコイル組立体４０を覆うように、装着され、ウェブ６４が、図２に示されるベース１０に形成した穴１７、１８に挿通される。この状態で、中央ウェブ６４から離されたばね要素６５がベース１０上方に突出する壁部１９に接触し、軸支持部６０が接点室との間を仕切る壁１４に向けて付勢される。
【００１７】
図５において、アマチュア５０の軸穴５４は、軸支持部６０の軸に嵌められて、ヨーク４４における上方へ突出する脚４６がそれぞれ２本のアマチュアバー５２の端部に形成された磁極面の間に収められる。永久磁石５３によって発生する磁力及びアマチュアバー５２の端部に設けた磁極面によって、アマチュア５０は図５に示すようにコイル４３の軸に対して規定された位置をとる。
【００１８】
この位置において、ばね要素６５により発生する力に基づいて、アマチュア５０がヨーク４４の２つの磁極面に対して押しつけられるだけでなく、軸６２の一点に押しつけられることになり、ヨーク４４に対して規定の方法でアマチュア５０が位置決めされる。ばね要素６５のばね力の大きさは、アマチュア５０がいずれの一端においてもヨークから離れることが無いものとされる。
【００１９】
ベース１０に設けられた凹所やベースに取り付けられる付属品や、装着されるリレー部品に対する許容誤差は、アマチュア支持部を除いて、圧入ができるようなものとされる。
【００２０】
この状態において、アマチュア５０及び軸６２は、図６に示される位置を取り、この位置はリレーの最適な動作位置である。この位置は、ヨーク脚４６の磁極面に対してアマチュアバー５２の磁極面が押しつけられたことで決定されると共に、アマチュア５０の軸穴５４に設けた遊びの範囲内で軸６２が最適な位置をとることで決定される。
【００２１】
図示するような円筒形の軸６２を設けた場合、軸穴５４に対する遊びというのは、アマチュア５０の取り付け摩擦を少なくする目的のために設けられる。しかしながら、円筒形の軸６２の代わりに、他の手段、例えば、ナイフエッジによる軸支を用いてアマチュアを装着することも可能である。
【００２２】
このようにして組み立てられた組立物は、図７に示される位置に裏返され、全ての個別に組み付けられた部品が接着により固定され、ベース１０を通して突出する接点端子３２、３３及びコイル端子４７がベースに固定される。この組立物は、ハウジングキャップ２０内に挿入され、図８に示すように、ハウジングキャップはベース１０へ全周に亘って接着結合される。
【００２３】
図７及び図８に示すように、それぞれ３つの穴１７、１８が並ぶ２つの列は、連続したスロット２１、２２を形成して、それぞれのスロットは外側に向けて広くなっている。接着剤はこのスロット２１、２２内に充填されてアマチュア軸支持部６０のウェブ６４をベース１０へ固定する。ウェブ６４はベースを貫通していないため、図７や図８では図に示されない。
【００２４】
接着剤は、また、最終的に、ベース１０に設けた他の２つの穴２３へ充填されてコイル組立体４０のコイルベース４１をベース１０へ永久的に固定する。このことは、ヨーク４４を含むリレーの機能部品を互いに固定する上で重要である。このようにして行われる最終的な固定により、コイル組立体４０を構成するヨーク４４及びアマチュア軸支持部６０の両方をベース１０に対して固定され、リレーの完成時にはばね部材６５の動作は無効となる。 
【図面の簡単な説明】
【００２５】
【図１】本発明の電磁リレーの組み立て工程での一状態を示す斜視図。
【図２】本発明の電磁リレーの組み立て工程での一状態を示す斜視図。
【図３】本発明の電磁リレーの組み立て工程での一状態を示す斜視図。
【図４】本発明の電磁リレーの組み立て工程での一状態を示す斜視図。
【図５】本発明の電磁リレーの組み立て工程での一状態を示す斜視図。
【図６】図５に示す電磁リレーの平面図。
【図７】本発明の電磁リレーの組み立て工程での一状態を示す斜視図。
【図８】本発明の電磁リレーの組み立て工程での一状態を示す斜視図。
【符号の説明】
【００２６】
１０  ベース
１１、１２  穴
１３  壁要素
１４  壁
１５  押書
１６、１７、１８  穴
１９  壁部
２０  ハウジングキャップ
２１、２２  スロット
２３  穴
３０  固定接点
３１  接点ばね
３２、３３  接点端子
４０  コイル組立体
４１  コイルベース
４２  ボビン
４３  コイル
４４  ヨーク
４５  中央ヨーク部
４６  ヨーク脚
４７  コイル端子
５０  アマチュア
５１  プラスチック部
５２  アマチュアバー
５３  永久磁石
５４  軸穴
６０  軸支持部
６１  中央部
６２  軸
６３  スロット
６４  ウェブ
６５  ばね要素
【図１】
2004288611.tif 000003
【図２】
2004288611.tif 000004
【図３】
2004288611.tif 000005
【図４】
2004288611.tif 000006
【図５】
2004288611.tif 000007
【図６】
2004288611.tif 000008
【図７】
2004288611.tif 000009
【図８】
2004288611.tif 000010
【外国語明細書】
2004288611000001.pdf
2004288611000002.pdf
2004288611000003.pdf
2004288611000004.pdf